(57)【特許請求の範囲】
【請求項１】
電動送風機を内蔵し、掃除対象物に対向する面に吸込口および排出口が形成された掃除機本体と、
前記電動送風機の動作を制御する制御部と、
前記排出口から排出される空気の温度を検出する温度検出部と、を備え、
前記排出口から前記電動送風機の排熱によって加熱された空気を排出し、
前記制御部には、害虫が忌避する第１設定温度が設定されており、前記制御部は、前記温度検出部の検出結果に基づいて、前記排出口から排出される空気の温度が前記第１設定温度以上となるように、前記電動送風機の駆動電力を制御することを特徴とする電気掃除機。
【請求項２】
前記制御部には、前記電動送風機の駆動電力がそれぞれ異なる複数の駆動モードが設定されており、前記制御部は、前記排出口から排出される空気の温度が前記第１設定温度以上となるように、前記駆動モードを切り換えることを特徴とする請求項１に記載に電気掃除機。
【請求項３】
前記制御部は、駆動モードを切り換えた直後の所定期間中は、前記温度検出部の検出結果にかかわらず駆動モードの切り換えを行わないことを特徴とする請求項２に記載の電気掃除機。
【請求項４】
前記制御部には、前記掃除機本体および前記電動送風機それぞれの許容限界温度に基づいて第２設定温度が設定されており、前記制御部は、前記温度検出部の検出結果が前記第２設定温度以上になると、前記所定期間中であっても前記電動送風機を停止する、もしくはパワーダウン制御を行うことを特徴とする請求項３に記載の電気掃除機。
【請求項５】
前記温度検出部の検出結果に基づいて、害虫の忌避の度合いを報知する報知部を備えることを特徴とする請求項１から４の何れか１項に記載の電気掃除機。
【発明の詳細な説明】
【技術分野】
【０００１】
本発明は、電気掃除機、より具体的にはハンディ型の電気掃除機に関する。
【背景技術】
【０００２】
従来、布団等に付いているノミやダニ等の害虫を駆除するため、電気掃除機から被掃除面に対し熱風を吹き付ける技術が知られている。
【０００３】
例えば、特許文献１には、電動送風機の排熱にて加熱された排気風を被掃除面に吹き付けて、被掃除面にいる害虫を熱により駆除して吸い込むハンディ型電気掃除機が開示されている。
【０００４】
また、特許文献２には、電気掃除機のヘッド部材の吸い込み開口部の周辺に電熱器および送風ファンを取り付け、電熱器によって熱せられた空気を送風ファンで吹出口から布団や絨毯に送り込み、害虫や微生物を熱風で殺し、その死骸などを吸込口から吸引する技術が開示されている。
【０００５】
一方、ハンディ型に限らず、従来、電動送風機のモータ駆動方式としては、１００Ｖ・交流パルス（５０Ｈｚ，６０Ｈｚ）の位相制御方式が知られている。位相制御方式を用いたモータ駆動電力の切り換えは、吸込仕事率の制御（強／弱モードの切り換えなど）や、異常時のパワーダウンなどを目的として広く利用されている。特に、電動送風機のモータにとって熱は重要なエラーファクタであるため、使用環境温度が上限を超えた場合、上記の制御によりモータ駆動電力を下げる必要がある。
【０００６】
例えば、特許文献３には、電源手段の周囲の温度を検知する温度検知手段を設け、該温度検知手段が検知した値に基づいて、電源手段に対し、充電通電時間制御や強制除塵による放電を行うことにより、電源手段の自己発熱やメモリー効果を抑制する電気掃除機が開示されている。
【０００７】
また、特許文献４には、吸気口からの吸気流領域に温度センサを配設し、温度センサの検知温度が予め設定した閾値を超えた時点で表示装置を点灯あるいは点滅させて、吸気口に配設されたフィルタが目詰まりしていることを報知する電気掃除機が開示されている。
【０００８】
さらに、特許文献５には、掃除機本体内部の温度を検出する温度検出手段を設け、検出結果が、掃除機本体の許容限界温度より低い第一設定温度以上、第一設定温度より高く許容限界温度よりも低い第二設定温度未満となったとき、電動送風機の動作を一時停止させ、第二設定温度以上であったときは電動送風機の動作を停止させる電気掃除機が開示されている。
【先行技術文献】
【特許文献】
【０００９】
【特許文献１】特開平３−１６２８１２号公報（１９９１年７月１２日公開）
【特許文献２】特開２００５−３１２４７０号公報（２００５年１１月１０日公開）
【特許文献３】特開２０１１−２５１０２４号公報（２０１１年１２月１５日公開）
【特許文献４】特開２０１１−５６０９６号公報（２０００年３月２４日公開）
【特許文献５】特開２００３−２０４９０８号公報（２００３年７月２２日公開）
【発明の概要】
【発明が解決しようとする課題】
【００１０】
上述した特許文献１の電気掃除機は、電動送風機の排熱にて排気を加熱する構成である。しかしながら、電動送風機の排熱の温度は、電気掃除機を使用している環境の温度や、電動送風機のモータ駆動電力、掃除対象物の種類などにより変動する。そのため、特許文献１の電動送風機では、排気の温度を、害虫を駆除すると共に掃除対象物である布団等をふっくらさせることができる一定の温度に保つことができないといった問題がある。
【００１１】
これに対し、特許文献２の電気掃除機は、専用の熱源が設けられているため、排気の温度を、効果のある一定の温度に保つことができる。しかしながら、別途備える熱源による装置の複雑化および電熱器による消費電力アップは否めない。
【００１２】
また、特許文献３〜５の電動送風機は何れも、電動送風機の排熱によって電動送風機および掃除機本体に不具合が生じることを未然に防ぐために温度検出を行っているものである。そのため、たとえ特許文献１の電気掃除機に搭載したとしても、排気の温度を効果のある一定の温度に保つことはできない。
【００１３】
本発明は、上記課題に鑑みなされたもので、その目的は、電動送風機の排熱を利用して排気を加熱して掃除対象物に吹き付ける構成でありながら、排気の温度を、害虫を駆除すると共に掃除対象物である布団等をふっくらさせることができる一定の温度に保持可能な電気掃除機を提供することにある。
【課題を解決するための手段】
【００１４】
本発明の一態様に係る電気掃除機は、上記の課題を解決するために、電動送風機を内蔵し、掃除対象物に対向する面に吸込口および排出口が形成された掃除機本体と、前記電動送風機の動作を制御する制御部と、前記排出口から排出される空気の温度を検出する温度検出部と、を備え、前記排出口から前記電動送風機の排熱によって加熱された空気を排出し、前記制御部には、害虫が忌避する第１設定温度が設定されており、前記制御部は、前記温度検出部の検出結果に基づいて、前記排出口から排出される空気の温度が前記第１設定温度以上となるように、前記電動送風機の駆動電力を制御することを特徴としている。
【発明の効果】
【００１５】
本発明の一態様によれば、電動送風機の排熱を利用して排気を加熱して掃除対象物に吹き付ける構成でありながら、排気の温度を、害虫を駆除すると共に掃除対象物である布団等をふっくらさせることができる一定の温度に保持可能な電気掃除機を提供することができるという効果を奏する。
【図面の簡単な説明】
【００１６】
【図１】本発明の実施形態１〜４に係る電気掃除機の外観斜視図である。
【図２】上記電気掃除機の側面図である。
【図３】上記電気掃除機の下面図である。
【図４】上記電気掃除機の縦断面図である。
【図５】上記電気掃除機の制御系の要部ブロック図である。
【図６】記憶部に格納されている、検出温度と電動送風機の動作との関係を示すテーブルの図である。
【図７】上記電動送風機における駆動モード切り換え時の時間軸に対する排気温度の推移を示す図である。
【図８】上記電気掃除機の、自動運転モードにおける電動送風機の駆動電力制御のフローチャートである。
【図９】本発明の実施形態２に係る電気掃除機における表示部の点灯制御のフローチャートである。
【図１０】本発明の実施形態３に係る電動送風機の温度特性の一例を示す図である。
【図１１】上記電気掃除機における表示部の点灯制御のフローチャートである。
【図１２】本発明の実施形態４に係る電気掃除機が用いる２種類の制御テーブルの基となる電動送風機の温度特性の一例を示す図である。
【図１３】上記電気掃除機における表示部の点灯制御のフローチャートである。
【発明を実施するための形態】
【００１７】
〔実施形態１〕
以下、本発明の実施の形態について、詳細に説明する。
【００１８】
（電気掃除機１の概略構成）
図１は本実施形態に係る電気掃除機１の外観斜視図である。図２は電気掃除機１の側面図である。図３は電気掃除機１の下面図である。図４は電気掃除機１の縦断面図である。
【００１９】
図１〜図４に示されるように、電気掃除機１は、掃除機本体１０と空気から塵埃を分離する集塵装置２０とを備えている。掃除機本体１０は、底部が丸みを帯びた平たい円錐形状の外観を有する。集塵装置２０は、掃除機本体１０の錐面部分に露出した状態で、掃除機本体１０に対して着脱可能に取り付けられている。
【００２０】
掃除機本体１０における、集塵装置２０が取り付けられる側とは反対側には、Ｌ字状の把手３０が設けられている。ユーザは、この把手３０を把持して電気掃除機１を布団等の掃除対象物に対して移動させて掃除を行う。電気掃除機１を移動させる方向は、図２、図４に示す矢印Ａにて示す方向であり、電気掃除機１を把手３０のある側に引く方向である。以降、説明の便宜上、掃除機本体１０における集塵装置２０側を前側、把手３０側を後側とする。
【００２１】
なお、電気掃除機１の移動は、矢印Ｘの方向に限らず、矢印Ｘと反対方向も可能であり、電気掃除機１を往復移動させることも可能である。この場合は、矢印Ｘ方向と反対方向のときには、後述する排出口３からの温風により布団の湿気を除くことができる。また、後述する回転ブラシ２６の回転による吸込口２からの吸引で塵埃などを集塵することができる。また、第１設定温度以上の排気を吹き付けることで、布団等の掃除対象物中に含まれる水分が除去され、布団等をふっくらさせることができる。なお、これは、電気掃除機１の移動方向に関係なく行えるものである。
【００２２】
また、把手３０には、電気掃除機１の運転開始と運転モードを指示する自動／切り換えボタン（不図示）と、電気掃除機１の運転停止を指示する停止ボタン（不図示）などが設けられている。例えば、自動／切り換えボタンを１回押すと、自動運転モードで運転が開始される。自動／切り換えボタンを２回押すと、強運転モードで運転が開始される。自動／切り換えボタンを３回押すと、中運転モードで運転が開始され、自動／切り換えボタンを４回押すと、弱運転モードで運転が開始される。また、電気掃除機１が既に駆動している状態で、自動／切り換えボタンを押すと、１回押す毎に、自動運転モード→強運転モード→中運転モード→弱運転モード→自動運転モード→というサイクルで切り換わる。
【００２３】
自動運転モードは、排出口３から排出される空気（排気）の温度が、ダニ等の害虫が忌避する後述する第１設定温度以上となるように、電動送風機４の動作を制御する運転モードである。自動運転モードの詳細については後述する。
【００２４】
強運転モードは、電動送風機４を最も大きい駆動電力で駆動する運転モードであり、吸込み力が最も強い。弱運転モードは、電動送風機４を最も小さい駆動電力で運転モードであり、吸込み力が最も弱い。中運転モードは、強運転モードと弱運転モードの間の駆動電力で電動送風機４を駆動する運転モードであり、吸込み力は強運転と弱運転との間である。
【００２５】
なお、本実施形態では、自動運転モード以外の運転モードとして、強運転モード、中運転モードおよび弱運転モードの３つの運転モードを挙げたが、自動運転モード以外の運転モードとして、上記中運転モードに相当する標準モードと上記強運転モードとの２つの運転モードが設けられた構成であってもよい。
【００２６】
掃除機本体１０における把手３０の根元となる部分には、表示部１０５が設けられている。表示部１０５は、選択中の運転モードをユーザに報知する機能を有している。また、運転モードの切り換えが指示されたが、切り換えができない場合などに、切り換え不能であることを報知する機能を有している。表示部１０５は、複数のＬＥＤからなり、点灯させるＬＥＤを切り換えたり、所定回数点滅させたりするなどして、選択中の運転モードや、切り換え不能であることをユーザに報知する。
【００２７】
また、掃除機本体１０の底面には、前側に、掃除対象物についた塵埃を空気とともに吸い込む吸込口２が設けられ、後側に、塵埃が除去された後の空気を排出する排出口３が設けられている。
【００２８】
吸込口２は、電気掃除機１の移動させる方向と直交する方向に延びる矩形形状をなし、掃除対象物の表面から、塵埃またはダニなどの害虫を掻き出す回転ブラシ２６が取り付けられている。吸込口２から吸い込まれた空気は、集塵装置２０へ送られる。
【００２９】
排出口３は、スリット状をなし、複数形成されている。集塵装置２０から排出された空気は、後述する電動送風機４の排熱で加熱された状態で排出口３から排出される（排気）。
【００３０】
また、掃除機本体１０の底面における排出口３の近傍には、電気掃除機１の掃除対象物を検知する光センサ部４５が複数設けられている。光センサ部４５は、掃除機本体１０の底面に対する掃除対象物の接触を検知しており、吸込口２が布団等の掃除対象物から離間すると、これを検知する。
【００３１】
掃除機本体１０の底面中央には、吸込口２と排出口３との間を仕切る仕切壁２５が立設されている。排出口３から排出される排気は加熱されているため、その温度があまり下がらない状態で再び吸込口２から吸い込まれると、排気の循環により掃除機本体１０に過度の温度上昇が起こる。仕切壁２５を設けることで、排出口３からの排気がそのまま吸込口２から吸引されることがなくなり、排気の循環による過度の温度上昇を防止することができる。
【００３２】
また、掃除機本体１０の底面における吸込口２よりも前側には、電気掃除機１を移動させる方向に平行に伸びる案内部２９が複数立設されている。案内部２９を設けることで、吸引されて浮き上がった掃除対象物にて吸込口２が塞がれる事態の招来を回避し、かつ、移動させる方向への電気掃除機１の滑りをよくできる。
【００３３】
掃除機本体１０の内部には、電動送風機４と、排気フィルタ６と、温度センサ（温度検出部）１０２とが備えられている。電動送風機４は、吸気を行うための送風ファン（不図示）および該送風ファンを回転駆動する駆動モータ（不図示）を有している。電動送風機４は、送風ファンを回転させることで、吸込口２から空気を吸い込み、集塵装置２０を経て排出口３から外部へ排出する。
【００３４】
吸い込まれた空気は、電動送風機４を通過する際にその排熱（正確には駆動モータの排熱）にて加熱され、温風となって排出口３から排出される（排気）。このように、電動送風機４の排熱を利用することで、加熱器を別途設けることなく排気を加熱することができ、電気掃除機１の構成の簡略化、および消費電力の抑制が図れる。
【００３５】
温度センサ１０２は、電動送風機４の排熱にて加熱された空気の温度を検出するものである。温度センサ１０２は、電動送風機４における空気の通過路に取り付けられている（図４参照）。排気フィルタ６は、電動送風機４と排出口３との間に着脱可能に設けられている。排気フィルタ６は、集塵装置２０にて集塵が除去された排気を通過させることで、排出口３から排出される空気をさらに清浄化するものである。
【００３６】
また、掃除機本体１０には、図１〜図４では図示してはいないが、電動送風機４を制御する後述する制御部１００（図５参照）が内蔵されている。制御部１００は、ＣＰＵやＲＡＭ，ＲＯＭなどの制御機器を有しており、電気掃除機１の各部を制御する。具体的には、上記制御部１００では、ＣＰＵがＲＯＭに記憶された制御プログラムに従って各種の処理を実行する。
【００３７】
制御部１００は、自動運転モードが指示されると、温度センサ１０２から入力された検出結果に基づいて電動送風機４の動作を後述のように制御する。
【００３８】
また、制御部１００は、光センサ部４５が、掃除対象物の底面からの離間を検知すると、例えば、電気掃除機１の運転を停止したり、回転ブラシ２６の回転を停止したり、回転ブラシ２６の回転数を下げたりする制御を行う。また、制御部１００は、これらの制御を行ったことを、表示部１０５を用いてユーザに報知する。これによって、電気掃除機１が掃除対象物より離間したときのユーザの使用安全性を向上させることができる。
【００３９】
布団等の掃除対象物の端部の掃除に際しては、２個の光センサ部４５のうち１個だけが掃除対象物からの離間を検知するが、このような場合も上述の制御を行うことで、電気掃除機１が掃除対象物より離間したときのユーザの使用安全性をより一層向上させることができる。また、電気掃除機１の運転を停止することで、電気掃除機１１から排気される温風が有効に利用されない状態を回避できる。
【００４０】
（集塵装置２０）
以下、集塵装置２０の構成について詳細に説明する。集塵装置２０は、集塵カップ２１と、集塵カップ２１を閉塞する上蓋ユニット２２と、上蓋ユニット２２を覆うカバー２３とを備えている。集塵カップ２１には、塵埃を含む空気を導入するための流入口２１ａが形成されている。集塵カップ２１は、上部が開口されており、内部に、上蓋ユニット２２が支持される。また、集塵カップ２１と上蓋ユニット２２とは連通している。
【００４１】
集塵カップ２１内には、内筒部２１１及びダスト仕切部２１２が設けられている。内筒部２１１は、上蓋ユニット２２と連通している。また、ダスト仕切部２１２は、内筒部２１１における上蓋ユニット２２と反対側に連結され、集塵カップ２１の底部に当接して設けられている。
【００４２】
内筒部２１１は、遠心分離部４０によるサイクロン分離後の空気を上蓋ユニット２２へと通気するように構成されている。内筒部２１１は、上蓋ユニット２２に連結する上側端縁２１１ａと、遠心分離後の空気を通すための複数のスリット２１１ｂを有する胴部２１１ｃと、ダスト仕切部２１２と連結する下側端縁２１１ｄとを有している。なお、胴部２１１ｃの外周にはメッシュ状の吸気側フィルタが巻き付けられている。
【００４３】
ダスト仕切部２１２は、中心孔を有する円板形のフランジ部２１２ａと、大径筒部２１２ｂと、小径筒部２１２ｃと、を有する。大径筒部２１２ｂは、フランジ部２１２ａの外周端から上方向及び下方向の両方向に突出して設けられている。また、小径筒部２１２ｃは、フランジ部２１２ａの内周部から垂下して設けられている。また、小径筒部２１２ｃの下端部は、閉塞状態であり筒部が塞がれている。
【００４４】
さらに、上蓋ユニット２２内には、つづら折り状（プリーツ）のフィルタ等を有するフィルターユニットが収容されている。つづら状のフィルタに堆積した塵埃をフィルタの除塵機構などにより除塵した塵埃を落下させて筒部へ堆積させてダスト仕切部を取り出すことで塵埃を廃棄する。
【００４５】
電動送風機４を作動させると、吸込口２から塵埃を含有した空気が吸気される。吸込口２から吸気された空気は、図４の矢印で示す分離流路Ｙを経由して、流入口２１ａから集塵装置２０に流入し、上蓋ユニット２２を通過し、集塵装置２０から排出される。
【００４６】
上記構成において、集塵カップ２１内のダスト仕切部２１２の上部にあるフランジ部２１２ａを境に、上部が遠心分離部４０として作用する。すなわち、集塵装置２０において、遠心分離部４０は、集塵カップ２１の内側面及び内筒部２１１の外周面等によって構成された旋回風路である。そして、流入口２１ａは、遠心分離部４０が構成する旋回風路の接線方向に開口している。それゆえ、流入口２１ａを介して流入した空気は、図４の分離流路Ｙのように、遠心分離部４０が構成する旋回風路を旋回することによって、空気中の塵埃が遠心分離される。遠心分離された塵埃のうち、比較的大きい粗塵は、遠心力の作用により、集塵カップ２１の内側面に沿って落下して、ダスト仕切部２１２の下方に集積される。
【００４７】
粗塵が分離された空気は、内筒部２１１を通過する（図４の分離流路Ｙ参照）。このとき、遠心分離部４０によって分離されなかった比較的小さい細塵は、空気流とともに、内筒部２１１のスリット２１１ｂを介して上昇する。一方、粗塵は、胴部２１１ｃに巻き付けられたメッシュ状のフィルタによって濾過される。内筒部２１１を通過した空気は、上蓋ユニット２２に収容されたフィルターユニットを通過することによって細塵が除去されて、集塵装置２０から排出される。
【００４８】
なお、集塵装置２０は、サイクロン方式に限定されるものではなく、紙パック式や布袋式であってもよい。
【００４９】
（電気掃除機１の動作）
本実施形態に係る電気掃除機１の動作について、以下に説明する。ユーザは、電気掃除機１を用いて布団等の対象物を掃除するに際し、把手３０を持って、掃除機本体１０を手で支持する。そして、掃除機本体１０の底面を対象物に接地し、吸込口２および排出口３を対象物に近接対向させる。
【００５０】
電気掃除機１の自動／切り換えボタン（不図示）を押すと、掃除機本体１０の制御部１００は、自動／切り換えボタンを押す回数で指示された運転モードにて電動送風機４を作動させる。電動送風機４を作動させると、吸込口２から吸気され、吸気された空気が、図４の矢印で示す分離流路Ｙを経由して、集塵装置２０に流入し、上蓋ユニット２２を通過し、集塵装置２０から排出される。集塵装置２０から排出された空気は、電動送風機４へ吸引され、排出口３から排出される（図４の流路Ｘ参照）。このとき、空気は、電動送風機４の排熱によって加熱され、温風となって排出口３から外部へ排出される。
【００５１】
図２、図４に示す矢印Ａの方向に掃除機本体１０を移動させると、掃除対象物は、まず排出口３と対峙し、次に吸込口２と対峙する。掃除対象物中に存在するダニ等の害虫は、掃除対象物が排出口３と対峙することで、排出口３からの温風で掃除対象物の温度が上がるため、忌避行動をとって掃除対象物から遊離する。遊離した害虫は、次に、掃除対象物が吸込口２と対峙することで、塵埃と共に吸込口２から掃除機本体１０内部へ吸い込まれる。
【００５２】
（自動運転モードにおける電動送風機４の駆動電力制御）
本実施形態に係る電気掃除機１の自動運転モードにおける電動送風機４の駆動電力制御について、以下に説明する。図５は、電気掃除機１の制御系の要部ブロック図である。図５に示されるように、電気掃除機１の制御部１００には、排出口３から排出される空気の温度を検出する温度センサ１０２の検出結果が入力される。制御部１００は、自動運転モードでは、温度センサ１０２から入力された検出結果に基づいて、排出口３から排出される空気（排気）の温度が、ダニ等の害虫が忌避する第１設定温度以上となるように、電動送風機４の動作を制御する。電動送風機４の動作を制御するとはつまり、上述した電動送風機４の駆動モータの駆動電力を制御することである。以下、電動送風機４の駆動モータの駆動電力を制御することを、電動送風機４の駆動電力を制御すると表現する。
【００５３】
ダニ等の害虫が忌避する第１設定温度としては、例えば４０℃以上の温度を上げることができる。害虫は、４０℃以上で忌避行動をとることが確認されており、４０℃以上であれば効果が期待できる。排気の温度を４０℃よりも高くすればするほど、忌避行動が活発になって駆除効果は上がるが、電動送風機４やこれを収容する掃除機本体１０に対してかかる熱的負荷が大きくなる。そのため、第１設定温度の上限は、電動送風機４および掃除機本体１０の許容限界温度から考慮して、例えば７０℃未満とすることが好ましい。
【００５４】
本実施形態に係る電気掃除機１では、第１設定温度を５５℃、許容限界温度に応じて決定されるパワーダウン制御への移行温度６５℃として、排気が５５℃以上６５℃未満の温度域で推移するように制御する。
【００５５】
記憶部１０１には、制御部１００が電動送風機４の動作を制御するために必要なデータや情報が格納されている。図６は、記憶部１０１に格納されている、検出温度と電動送風機４の動作との関係を示すテーブル（一例）の図である。
【００５６】
図６に示されるように、制御部１００は、電動送風機４の駆動モードとして、電動送風機４の駆動電力が異なる複数のモードを有している。図６の例では、「切」「強」「中」「弱」の４つの駆動モードを有している。「切」は電動送風機４への通電を停止した駆動モードである。「強」は電動送風機４を最も大きい駆動電力で駆動するモードであり、強運転モードが指示された場合の駆動モードでもある。「弱」は電動送風機４を最も小さい駆動電力で駆動するモードで、弱運転モードが指示された場合の駆動モードでもある。「中」は「強」と「弱」の間の駆動電力で電動送風機４を駆動するモードであり、中運転モードが指示された場合の駆動モードでもある。
【００５７】
自動運転モードでは、これら強運転モード、中運転モードおよび弱運転モードの各駆動モードを利用して、排出口３から排出される空気（排気）の温度が、第１設定温度以上となるように制御する。自動運転モードでは、駆動モード毎に、排気を第１設定温度以上に保つための検出温度に応じた動作が設定されている。
【００５８】
図６中、「Ｔ１」は、電動送風機４への通電を禁ずる、許容限界温度を超えた危険温度であり、例えば７０℃である。「Ｔ２」は、許容限界温度に応じて決定されるパワーダウン制御への移行温度（第２設定温度）であり、例えば６５℃である。「Ｔ３」は、５５℃以上６５℃未満の温度域の中央値であり、例えば６０℃である。「Ｔ４」は、第１設定温度であり、５５℃以上６５℃未満の温度域の下限値、つまり、ここでは５５℃である。
【００５９】
図６に示されるパワーダウン制御（最弱運転モード）とは、「弱」運転よりも遥かに小さい駆動電力にて電動送風機４を駆動して、電動送風機４および掃除機本体１０を熱から保全する制御である。電動送風機４では、ある温度（上記の例では６５℃）を超えた状態で急に通電が停止されると、さらに温度が上がるなどの不具合が生じる。パワーダウン制御を行うことで、このような不具合を回避して、電動送風機４および掃除機本体１０の安全を確保できる。
【００６０】
制御部１００は、図６のテーブルに従って、排気の温度が第１設定温度以上の５５℃以上６５℃未満の温度域で推移するように、駆動モードを「強」「中」「弱」の間で切り換える。駆動モードを切り換える簡単な構成で、排気の温度を第１設定温度以上に推移させることができる。
【００６１】
また、制御部１００は、自動運転モードにおいては、駆動モード切り換え後の所定期間中は、温度センサ１０２の検出結果を無効として、検出結果に関わらず、駆動モードの切り換えを行わない。これは、外部ヒータなどの熱源を利用しているシステムではなく、電動送風機４の排熱を利用した、いわゆるコジェネレーションシステムを採用しているためである。
【００６２】
図７は、電動送風機４における駆動モード切り換え時の時間軸に対する排気温度の推移を示す図である。図７に示されるように、排気温度は、駆動モードを切り換えて電動送風機４の駆動電力を落としても（上げても）、すぐに排気温度が所望の下降（上昇）を示すわけではなく、時間を要する。
【００６３】
したがって、制御部１００は、環境温度や、駆動モードの切り換え温度などの種々の条件下で、温度上昇・下降カーブの特性をデータ取得し、そのデータに基づいて、駆動モード切り換え後の所定の時間、温度センサ１０２の検出結果を無効とする。検出結果を無効にする所定の時間は、最も長い時間に合わせて一律としてもよいし、個々の駆動モード切り換えに合わせて設定してもよいし、「短」「中」「長」等のように、予め段階的に設定した複数の時間群の中から、選択する構成であってもよい。
【００６４】
但し、排気温度が、パワーダウン制御への移行温度「Ｔ２」以上の領域に上昇した場合には、パワーダウン制御により対応する必要があるため、この限りではない。つまり、制御部１００は、温度センサ１０２の検出結果が、パワーダウン制御への移行温度「Ｔ２」以上になった場合は、駆動モード切り換え後の所定の期間における検出結果であっても有効として、パワーダウン制御を行う。
【００６５】
なお、パワーダウン制御が設けられていない構成では、制御部１００は、温度センサ１０２の検出結果が、パワーダウン制御への移行温度「Ｔ２」以上になると、駆動モード切り換え後の所定の期間における検出結果であっても有効として、電動送風機４への通電を遮断する。
【００６６】
また、制御部１００は、自動運転モード中に、自動／切り換えボタン（不図示）が押されて他の運転モードへの切り換えが指示されると、指示された運転モードに移行する。このとき、制御部１００は、電動送風機４の温度が上がっている状態で、さらに温度が上がる運転モードへの切り換えが指示されると、運転モードの切り換えは行わず、表示部１０５を用いて切り換え不能であることをユーザに報知する。
【００６７】
（駆動電力制御のフローチャート）
図８は、電気掃除機１の、自動運転モードにおける電動送風機４の駆動電力制御のフローチャートである。電気掃除機１の自動／切り換えボタン（不図示）が１回押されて自動運転モードによる運転開始が指示されると、制御部１００は、温度センサ１０２から入力される検出温度値が危険温度「Ｔ１」以上であるかを判定する（Ｓ（ステップ）１）。ここでＹＥＳと判定すると、駆動モード「切」に移行し、電動送風機４への通電を行わない（Ｓ２）。一方、ここでＮＯと判定すると、続いて、パワーダウン制御への移行温度「Ｔ２」以上であるかを判定する（Ｓ３）。ここでＹＥＳと判定すると、パワーダウン制御を実行する（Ｓ４）。このように電動送風機４の温度が上がりきっている状態で、運転モードの切り換えが指示された場合も、指示を受け付けず（運転モードの切り換えは行わず）、表示部１０５を用いて切り換え不能であることをユーザに報知する構成としてもよい。一方、ここでＮＯと判定すると、駆動モード「強」で運転（強運転）を開始する（Ｓ５）。
【００６８】
Ｓ５にて駆動モード「強」で運転を開始すると、続いて、パワーダウン制御への移行温度「Ｔ２」以上であるかを判定する（Ｓ６）。ここでＹＥＳと判定すると、Ｓ３におけるＹＥＳ判定と同様に、パワーダウン制御を実行する（Ｓ４）。一方、ここでＮＯと判定すると、続いて、調整する温度域の中央値「Ｔ３」以上であるかを判定する（Ｓ７）。ここでＹＥＳと判定すると、駆動モード「中」で運転（中運転）を開始する（Ｓ８）。一方、ここでＮＯと判定すると、処理をＳ６に戻し、駆動モード「強」での運転（強運転）を継続する。
【００６９】
Ｓ８にて駆動モード「中」で運転を開始すると、続いて、パワーダウン制御への移行温度「Ｔ２」以上であるかを判定する（Ｓ９）。ここでＹＥＳと判定すると、Ｓ３、Ｓ６におけるＹＥＳ判定と同様に、パワーダウン制御を実行する（Ｓ４）。一方、ここでＮＯと判定すると、続いて、調整する温度域の中央値「Ｔ３」以上であるかを判定する（Ｓ１０）。ここでＹＥＳと判定すると、駆動モード「弱」で運転（弱運転）を開始する（Ｓ１１）。一方、ここでＮＯと判定すると、続いて、第１設定温度「Ｔ４」以上であるかを判定する（Ｓ１２）。ここでＹＥＳと判定すると、処理をＳ９に戻し、駆動モード「中」での運転（中運転）を継続する。一方、ここでＮＯと判定すると、処理をＳ５に戻し、駆動モード「強」で運転を開始する。
【００７０】
Ｓ１１にて駆動モード「弱」で運転（弱運転）を開始すると、続いて、調整する温度域の中央値「Ｔ２」以上であるかを判定する（Ｓ１３）。ここでＹＥＳと判定すると、Ｓ３、Ｓ６、Ｓ９におけるＹＥＳ判定と同様に、パワーダウン制御を実行する（Ｓ４）。一方、ここでＮＯと判定すると、続いて、第１設定温度「Ｔ４」以上であるかを判定する（Ｓ１４）。ここでＹＥＳと判定すると、処理をＳ１３に戻し、駆動モード「弱」での運転（弱運転）を継続する。一方、ここでＮＯと判定すると、処理をＳ８に戻し、駆動モード「中」で運転を開始する。
【００７１】
なお、図８のフローチャートにおいては、当該フローチャートを抜けるステップを記載していないが、電気掃除機１の停止ボタン（不図示）が押されると、当該フローチャートを抜けて処理を終了する。
【００７２】
以上のように、上記構成によれば、排出口３から電動送風機４の排熱によって加熱された空気（排気）を排出する構成において、制御部１００は、温度センサ１０２の検出結果に基づいて、排気の温度が、害虫が忌避する第１設定温度以上となるように、電動送風機４の駆動電力を制御する自動運転モードを有している。
【００７３】
害虫が忌避する第１設定温度以上の排気が掃除対象物に吹き付けられることで、掃除対象物中に存在するダニ等の害虫は忌避行動をとり、掃除対象物である布団等から離れやすくなり、電気掃除機に効率よく吸い込まれる。
【００７４】
これにより、掃除対象物中から害虫を効果的に駆除することができる。また、第１設定温度以上の排気を吹き付けることで、布団等の掃除対象物中に含まれる水分が除去され、布団等をふっくらさせることができる。
【００７５】
なお、上記構成では、温度センサ１０２を電動送風機４の近傍に配置したが、これに限るものでない。例えば、制御部１００を構成する制御基板に配置したり、排出口３や吸込口２の近傍に配置したりしてもよい。
【００７６】
また、上記構成では、採用していないが、掃除対象物を叩く、叩き部を設ける構成と組み合わせてもよい。この場合、叩き部による叩き動作にて害虫を掃除対象物からさらに離れさせて集塵することができる。
【００７７】
〔実施形態２〕
本発明の他の実施形態について、図９に基づいて説明すれば、以下のとおりである。なお、説明の便宜上、前記実施形態にて説明した部材と同じ機能を有する部材については、同じ符号を付記し、その説明を省略する。
【００７８】
本実施形態に係る電気掃除機１Ａの外観は、実施形態１の電気掃除機１と同じである。本実施形態に係る電気掃除機１Ａにおいては、表示部１０５が、電気掃除機１Ａから排出される加熱された排気による害虫の忌避の度合いを報知する報知部としての機能をさらに有している。表示部１０５は、複数のＬＥＤの点灯状態によって、害虫の忌避の度合いを報知する。
【００７９】
制御部１００Ａは、温度センサ１０２による検出結果に基づいて、表示部１０５の点灯を制御して、害虫の忌避の度合いを報知する。ここでは、制御部１００Ａは、電動送風機４の駆動後、表示部１０５の複数のＬＥＤを点滅点灯させて、ユーザに対し、排気温度が上昇途中にあることを報知する。これはつまり、害虫の忌避の度合いが、現時点では十分ではないことの報知である。
【００８０】
そして、制御部１００Ａは、温度センサ１０２の検出結果が、上記第１設定温度となると、表示部１０５の複数のＬＥＤを常時点灯させて、ユーザに対し、排気温度が害虫の駆除に効果的な温度にまで到達したことを報知する。これはつまり、害虫の忌避の度合いが十分であることの報知である。以下、「ＬＥＤを常時点灯させる」ことを「ＬＥＤを点灯させる」と称し、「ＬＥＤを点滅点灯させる」ことを「ＬＥＤを点滅させる」と称する。
【００８１】
本実施形態に係る電気掃除機１Ａでは、温度センサ１０２の検出結果が、害虫が忌避行動を開始することが確認されている忌避行動開始温度「Ｔ５（例えば４０℃）」に到達した時点で、ＬＥＤを点滅から点灯へと切り換える。効果が得られる温度に達した時点で点灯へ切り換えることで、ユーザを待たせる時間を短くできる。
【００８２】
また、制御部１００Ａは、ＬＥＤを点滅から点灯へと切り換えた後、忌避行動開始温度「Ｔ５」よりも少し低い、例えば５℃程度低い、温度「Ｔ５−５℃」に達すると、ＬＥＤを点滅に戻す。このように、点滅から点灯へと切り換わる温度と点灯から点滅へと切り換わる温度との間に幅を持たせておくことで、「Ｔ５」付近で、点滅から点灯へ、点灯から点滅へと、頻繁に切り換えが起こることを回避できる。
【００８３】
点滅から点灯へ切り換えを行う排気の温度を、忌避行動開始温度「Ｔ５」に基づいて設定する場合、「Ｔ５」よりも少し高い、例えば５℃程度高い、温度「Ｔ５＋５℃」を、点滅から点灯への切り換え温度とし、「Ｔ５」を点灯から点滅への切り換え温度としてもよい。このようにすることで、排気の温度が忌避行動をとる温度にある場合のみ、ＬＥＤを点灯状態とできる。
【００８４】
なお、点滅から点灯へ切り換えを行う排気の温度は、忌避行動開始温度「Ｔ５」に限られるものではなく、第１設定温度「Ｔ４」、あるいはそれよりも中央値「Ｔ３」としてもよく、それ以外であってもよい。要は、害虫が忌避行動を起こすことが確認されている温度であればよい。
【００８５】
また、長時間使用による電気掃除機１Ａの過熱を防止するために、運転を開始してから所定時間経過する（例えば、３０分間）と、制御部１００Ａが、運転が自動停止する構成としてもよい。なお、その場合、自動停止する直前（例えば１分前）に、表示部１０５の所定のＬＥＤを点滅させるなどして、自動停止を報知してから運転を停止する構成とすることが好ましい。
【００８６】
図９は、電気掃除機１Ａにおける表示部１０５の点灯制御のフローチャートである。電気掃除機１Ａの自動／切り換えボタン（不図示）が押されると、制御部１００Ａは、押された回数に応じた運転モードで電動送風機４の駆動を開始し（Ｓ２１）、表示部１０５のＬＥＤを点滅させる（Ｓ２２）。次に、制御部１００Ａは、温度センサ１０２から入力される検出温度値が、点滅から点灯へと切り換える、忌避行動開始温度「Ｔ５」以上であるかを判定する（Ｓ２３）。ここでＹＥＳと判定すると、表示部１０５のＬＥＤを、点滅から点灯（常時点灯）へと切り換えて（Ｓ２４）、Ｓ２５に進む。一方、ここでＮＯと判定した場合は、ＹＥＳと判定するまで、Ｓ２３の判定を繰り返す。
【００８７】
Ｓ２５では、制御部１００Ａは、温度センサ１０２から入力される検出温度値が、点灯から点滅へと切り換える、忌避行動開始温度「Ｔ５−５℃」以下であるかを判定する。ここでＹＥＳと判定すると、処理をＳ２２に戻し、表示部１０５のＬＥＤを、再び点滅に戻す。一方、ここでＮＯと判定した場合は、Ｓ２６に進み、電気掃除機１Ａの停止ボタンが押されたかを判定する。
【００８８】
Ｓ２６にて、ＮＯと判定した場合は、処理をＳ２５に戻す。一方、ＹＥＳと判定すると、電動送風機４の駆動を停止させ（Ｓ２７）、表示部１０５のＬＥＤを消灯して（Ｓ２８）、処理を終了する。
【００８９】
以上のように、上記構成によれば、ユーザは報知部にて、加熱された排気による害虫の忌避の度合いを確認することができる。これにより、排気温度を直に確認しながら使うことができるので、排気を加熱するための熱源を別途備えた電気掃除機と遜色ない使い勝手を実現できる。
【００９０】
なお、本実施形態では、制御部１００Ａが、排気の温度を、第１設定温度以上となるように制御する自動運転モードを有する構成との組み合せにて説明したが、害虫の忌避の度合いの報知を行う構成を単独で備える構成であってもよい。
【００９１】
また、ここでは表示部１０５の複数のＬＥＤを点滅から点灯へと切り換えることで、排気温度による害虫の忌避の度合いを報知していたが、例えば、表示部１０５に色の異なるＬＥＤを搭載させ、色の変化で報知してもよい。また、排気温度による害虫の忌避の度合いに応じて、点灯させるＬＥＤを切り換えたり、点灯するＬＥＤの数を切り換えたりして、排気温度による害虫の忌避の度合いを報知してもよい。
【００９２】
さらに、表示部１０５は、ＬＣＤ等から構成されていて、画像にて排気温度による害虫の忌避の度合いを報知する構成であってもよい。また、電気掃除機が音声出力機能を搭載している構成では、表示部１０５に代えて音声出力部から音やメッセージにて、排気温度による害虫の忌避の度合いを報知してもよい。
【００９３】
〔実施形態３〕
本発明の他の実施形態について、図１０および図１１に基づいて説明すれば、以下のとおりである。なお、説明の便宜上、前記実施形態にて説明した部材と同じ機能を有する部材については、同じ符号を付記し、その説明を省略する。
【００９４】
実施形態２に係る電気掃除機１Ａにおいては、制御部１００Ａは、温度センサ１０２による検出結果に基づいて、表示部１０５の点灯を制御して、害虫の忌避の度合いを報知するものであった。これに対し、実施形態３の電気掃除機１Ｂでは、制御部１００Ｂが、予め求められた電動送風機４の温度特性に基づいて、表示部１０５の点灯を制御して、害虫の忌避の度合いを報知する。
【００９５】
図１０は、電動送風機４の温度特性の一例を示す図である。図１０に示されるように、排気温度は、電動送風機４の駆動を開始してから上昇し始め、所定の排気温度値（第１設定温度）に到達し、所定の排気温度値を上回った温度で推移する。その後、駆動が停止されることで降下し始め、所定の排気温度値を下抜ける。駆動を開始してから所定の排気温度値に達するまでの時間を温度上昇時間（ｔ）、駆動を停止してから所定の排気温度値を下抜けるまでの時間を温度低下時間（ｔ’）とする。
【００９６】
制御部１００Ｂは、電動送風機４の駆動開始後、温度上昇時間（ｔ）が経過すると、表示部１０５のＬＥＤを点滅から点灯（常時点灯）へと切り換える。また、制御部１００Ｂは、一旦停止された電動送風機４が再駆動された場合には、駆動停止されてから温度低下時間（ｔ’）以上を経過している場合は、ＬＥＤを点滅させるが、経過していない場合は、所定の排気温度値以上であるので、点灯（常時点灯）させる。
【００９７】
点滅から点灯へと切り換わる温度を、実施形態２に係る電気掃除機１Ａと同じとする場合は、図１０における所定の排気温度値が、忌避行動開始温度「Ｔ５」となる。
【００９８】
図１１は、電気掃除機１Ｂにおける表示部１０５の点灯制御のフローチャートである。電気掃除機１Ｂの自動／切り換えボタン（不図示）が押されると、制御部１００Ｂは、押された回数に応じた運転モードで電動送風機４の駆動を開始し（Ｓ３１）、制御部１００Ｂは、表示部１０５のＬＥＤを点滅させる（Ｓ３２）。次に、制御部１００Ｂは、駆動を開始してからの経過時間が、温度上昇時間（ｔ）を超えたかどうか判定する（Ｓ３３）。ここでＹＥＳと判定すると、表示部１０５のＬＥＤを、点滅から点灯へと切り換える（Ｓ３４）。一方、ここでＮＯと判定した場合は、ＹＥＳと判定するまで、Ｓ３３の判定を繰り返す。
【００９９】
Ｓ３４にて、表示部１０５のＬＥＤを点灯に切り換えた後、電気掃除機１Ｂの停止ボタンが押されると、電動送風機４の駆動を停止させ（Ｓ３５）、表示部１０５のＬＥＤを消灯する（Ｓ３６）。その後、電気掃除機１Ｂの自動／切り換えボタン（不図示）が押されて運転再開が指示され、電動送風機４の駆動を再開させると（Ｓ３７）、次に、制御部１００Ｂは、駆動を停止してから再開までの経過時間が、温度低下時間（ｔ’）を超えたかどうか判定する（Ｓ３８）。ここでＹＥＳと判定すると、Ｓ３２に処理を戻し、表示部１０５のＬＥＤを点滅させる。一方、ここでＮＯと判定した場合は、処理をＳ３４に戻し、表示部１０５のＬＥＤを点灯させる。
【０１００】
〔実施形態４〕
本発明の他の実施形態について、図１２および図１３に基づいて説明すれば、以下のとおりである。なお、説明の便宜上、前記実施形態および実施形態３にて説明した部材と同じ機能を有する部材については、同じ符号を付記し、その説明を省略する。
【０１０１】
実施形態４の電気掃除機１Ｃでは、電動送風機４の温度特性に基づく制御テーブルを複数備えており、環境温度等で使用する制御テーブルを切り換えるものである。ここでは、羽毛布団や羊毛布団、毛布等の保温性に優れる布団（グループＡ）と、麻布団等の保温性の低い布団（グループＢ）との間で、使用する制御テーブルを切り換える。
【０１０２】
なお、制御テーブルの切り換えは、掃除対象物が床（グループＢに特性近似）であるか絨毯（グループＡにの特性近似）であるかなどを判別する既存の技術を用いて、自動で行ってもよいし、スイッチ等を用いて手動で行ってもよい。
【０１０３】
図１２は、２種類の制御テーブルの基となる電動送風機４の温度特性の一例を示す図である。図１２の（ａ）に示されるように、グループＡに属する対象物の温度特性は、比較的短い温度上昇時間（ｔ１）にて、排気温度が所定の排気温度値（第１設定温度）に到達し、駆動が停止されると、比較的長い温度低下時間（ｔ１’）で所定の排気温度値を下抜ける。一方、図１２の（ｂ）に示されるように、グループＢに属する対象物の温度特性は、温度上昇時間（ｔ１）よりも長い温度上昇時間（ｔ２）にて、排気温度が所定の排気温度値（第１設定温度）に到達し、駆動が停止されると、温度低下時間（ｔ１’）よりも短い温度低下時間（ｔ２’）で所定の排気温度値を下抜ける。
【０１０４】
図１３は、実施形態４の電気掃除機１Ｃにおける表示部１０５の点灯制御のフローチャートである。電気掃除機１Ｃの自動／切り換えボタン（不図示）が押されると、制御部１００Ｃは、押された回数に応じた運転モードで電動送風機４の駆動を開始し（Ｓ４１）、制御部１００Ｃは、表示部１０５のＬＥＤを点滅させる（Ｓ４２）。次に、制御部１００Ｃは、布団種類の判定を行い（Ｓ４３）、グループＡと判定するとＳ４４に進み、グループＢと判定するとＳ５０に進む。Ｓ４４〜Ｓ４９、Ｓ５０〜Ｓ５５の処理は、図１１のフローチャートにおけるＳ３３〜Ｓ３８の処理と同様である。Ｓ４４に進んだ場合は、Ｓ４４、Ｓ４９にて、温度上昇時間（ｔ１）、温度低下時間（ｔ１’）を用い、Ｓ５０に進んだ場合は、Ｓ５０、Ｓ５５にて、温度上昇時間（ｔ２）、温度低下時間（ｔ２’）を用いる。
【０１０５】
〔まとめ〕
本発明の態様１に係る電気掃除機１，１Ａは、電動送風機４を内蔵し、掃除対象物に対向する面に吸込口２および排出口（排出口３）が形成された掃除機本体１０と、前記電動送風機４の動作を制御する制御部１００，１００Ａと、前記排出口３から排出される空気の温度を検出し、その検出結果を前記制御部１００，１００Ａに出力する温度検出部（温度センサ１０２）と、を備え、前記排出口３から、前記電動送風機４の排熱によって加熱された空気を排出し、前記制御部１００，１００Ａには、害虫が忌避する第１設定温度が設定されており、前記制御部１００，１００Ａは、前記温度センサ１０２の検出結果に基づいて、前記排出口３から排出される空気の温度が前記第１設定温度以上となるように、前記電動送風機４の駆動電力を制御することを特徴とする。
【０１０６】
上記構成によれば、排出口３から、電動送風機４の排熱によって加熱された空気を排出する構成において、制御部１００，１００Ａは、温度センサ１０２の検出結果に基づいて、排出口３から排出される空気の温度が、害虫が忌避する第１設定温度以上となるように、前記電動送風機４の駆動電力を制御する。
【０１０７】
害虫が忌避する第１設定温度以上の排気が掃除対象物に吹き付けられることで、掃除対象物中に存在するダニ等の害虫は忌避行動をとり、掃除対象物である布団等から離れやすくなり、電気掃除機１に効率よく吸い込まれる。これにより、害虫を効果的に駆除することができる。また、第１設定温度以上の排気を吹き付けることで、布団等の掃除対象物中に含まれる水分が除去され、布団等をふっくらさせることができる。
【０１０８】
本発明の態様２に係る電気掃除機１，１Ａは、さらに、前記制御部１００，１００Ａには、前記電動送風機４の駆動電力がそれぞれ異なる複数の運転モードが設定されており、前記制御部１００，１００Ａは、前記排出口３から排出される空気の温度が前記第１設定温度以上となるように、前記運転モードを切り換える構成である。
【０１０９】
上記構成によれば、運転モードを切り換える簡単な構成で、排気の温度を第１設定温度以上に推移させることができる。
【０１１０】
本発明の態様３に係る電気掃除機１，１Ａは、さらに、前記制御部１００，１００Ａは、運転モードを切り換えた直後の所定期間中は、前記温度センサ１０２の検出結果にかかわらず、運転モードの切り換えを行わない構成である。
【０１１１】
電動送風機４の排熱を利用して排気を加熱しているため、排気温度は、電動送風機４の運転モードを切り換えて駆動電力を変化させても、すぐに所望する方向へ変化するわけではなく、時間を要する。
【０１１２】
上記構成によれば、このような応答性の低さを考慮して、制御部１００，１００Ａは、運転モードを切り換えた直後の所定期間中は、温度センサ１０２の検出結果にかかわらず運転モードの切り換えを行わないので、運転モードが無駄に切り換えられるといった不具合を回避することができる。
【０１１３】
本発明の態様４に係る電気掃除機１，１Ａは、さらに、前記制御部１００，１００Ａには、前記掃除機本体１０および前記電動送風機４ぞれぞれの許容限界温度に基づいて第２設定温度が設定されており、前記制御部１００，１００Ａは、前記温度センサ１０２の検出結果が、前記第２設定温度以上になると、前記所定期間中であっても前記電動送風機４を停止する、もしくはパワーダウン制御を行う構成である。
【０１１４】
上記構成によれば、制御部１００，１００Ａは、温度センサ１０２の検出結果が、許容限界温度に基づいて設定された第２設定温度以上になると、応答性の低さを考慮して定めた所定期間中であっても電動送風機を停止する、もしくはパワーダウン制御を行うので、排気が第２設定温以上となった故障に繋がる恐れのある事態においては、迅速に事態の招来を回避できる。
【０１１５】
本発明の態様５に係る電気掃除機１Ｂ，１Ｃは、前記温度センサ１０２の検出結果に基づいて、害虫の忌避の度合いを報知する報知部（制御部１００Ｂ，１００Ｃ、表示部１０５）を備える構成である。
【０１１６】
上記構成によれば、ユーザは報知部にて、加熱された排気による害虫の忌避の度合いを確認することができる。これにより、排気温度を直に確認しながら使うことができるので、電動送風機の排熱を利用して害虫を駆除する構成でありながら、排気を加熱するための熱源を別途備えた電気掃除機と遜色ない使い勝手を実現できる。
【０１１７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１１８】
本発明は、特に布団等を掃除するハンディ型の電気掃除機に利用することができる。
【符号の説明】
【０１１９】
１，１Ａ          電気掃除機
２                吸込口
３                排出口
４                電動送風機
１０              掃除機本体
２０              集塵装置
１００，１００Ａ  制御部（報知部）
１０２            温度センサ（温度検出部）
１０５            表示部（報知部）
【図１】
0006567318.tif 000002
【図２】
0006567318.tif 000003
【図３】
0006567318.tif 000004
【図４】
0006567318.tif 000005
【図５】
0006567318.tif 000006
【図６】
0006567318.tif 000007
【図７】
0006567318.tif 000008
【図８】
0006567318.tif 000009
【図９】
0006567318.tif 000010
【図１０】
0006567318.tif 000011
【図１１】
0006567318.tif 000012
【図１２】
0006567318.tif 000013
【図１３】
0006567318.tif 000014